(57)【要約】【課題】本発明は固定の読取手段の読み取る白基準部上のゴミ、埃等の汚れによる影響を除去して適切にシェーディング補正する画像読取装置を提供する。【解決手段】画像読取装置１は、第２ＣＣＤ２１の読取位置と当該読取位置から外れた待機位置との間を移動可能に白基準部２２を配設し、白基準部２２を、白色に施されてシェーディングデータを提供する白基準ローラ３５と、白基準ローラ３５を収納するとともに、第２ＣＣＤ２１で白基準ローラ３５を読取範囲にわたって読取可能なスリット３７が主走査方向に延在して形成されている円筒カバー３６とを有したものとし、白基準部２２を待機位置から読取位置を通過する状態で移動し、読取位置を通過する位置で、第２ＣＣＤ２１で円筒カバー３６のスリット３７を通して白基準ローラ３５を読み取って、第２ＣＣＤ２１の読み取ったデータをシェーディング補正用のシェーディングデータとして取得する。【選択図】          図１
2004297721.tif 000002
【特許請求の範囲】
【請求項１】
少なくとも固定された読取手段が、当該読取手段の読取位置で、搬送される原稿の片面を読み取る画像読取装置において、前記読取手段の読取位置と当該読取位置から外れた待機位置との間を移動可能に配設された白基準部を備え、当該白基準部は、白色に施されてシェーディングデータを提供する白基準ローラと、当該白基準ローラを収納するとともに、前記読取手段で当該白基準ローラを読取範囲にわたって読取可能なスリットが主走査方向に延在して形成されている円筒カバーとを有し、当該白基準部が前記待機位置から前記読取位置を通過する状態で移動され、当該読取位置を通過する位置で、前記読取手段が前記円筒カバーのスリットを通して前記白基準ローラを読み取って、当該読取手段の読み取ったデータをシェーディング補正用のシェーディングデータとして取得することを特徴とする画像読取装置。
【請求項２】
前記画像読取装置は、前記読取手段で複数ライン分読み取り、当該読み取った複数ライン分のデータを平均化して前記シェーディングデータとして取得することを特徴とする請求項１記載の画像読取装置。
【請求項３】
前記白基準部は、前記白基準ローラが前記移動時に回転し、前記画像読取装置は、前記回転する白基準ローラを前記読取手段で複数ライン分読み取ることを特徴とする請求項１または請求項２記載の画像読取装置。
【請求項４】
前記白基準部は、前記白基準ローラの外周面の一部が前記円筒カバーから突出する状態で当該円筒カバーに保持されて、前記移動方向に配設された指示面に当該白基準ローラの突出部が当接し、前記円筒カバーの前記待機位置から前記読取位置への移動に伴って前記白基準ローラの前記突出部が当該指示面と接触して回転することを特徴とする請求項１から請求項３のいずれかに記載の画像読取装置。
【請求項５】
前記白基準ローラは、前記移動後の停止時に所定量スリップして回転することを特徴とする請求項４記載の画像読取装置。
【請求項６】
前記画像読取装置は、前記白基準部の移動方向の前記読取位置を挟んで両側に前記待機位置を有し、１回のシェーディングデータの読み取りを当該一方の待機位置から当該他方の待機位置への移動の途中に通過する前記読取位置で行うことを特徴とする請求項１から請求項５のいずれかに記載の画像読取装置。
【請求項７】
前記白基準部は、前記白基準ローラが前記シェーディングデータ用の読取範囲以外の部分でのみ前記円筒カバーに接触する状態で当該円筒カバーに回転可能に保持されていることを特徴とする請求項１から請求項６のいずれかに記載の画像読取装置。
【請求項８】
前記白基準ローラは、少なくとも前記シェーディングデータ用の読取範囲が白色に施された樹脂材料で形成されていることを特徴とする請求項１から請求項７のいずれかに記載の画像読取装置。
【発明の詳細な説明】
【０００１】
【発明の属する技術分野】
本発明は、画像読取装置に関し、詳細には、固定されている読取手段の読み取る白基準部上のゴミ、埃等の汚れによる影響を除去して適切にシェーディング補正する画像読取装置に関する。
【０００２】
【従来の技術】
【特許文献１】
特開２００１−１６４１２号公報
【特許文献２】
特開平５−３１９６１３号公報
近時、両面原稿の表裏面の画像を高速にかつ高品位に読み取る両面読取イメージスキャナが出現しており、この両面読取イメージスキャナは、一般的に、フラットベッドユニットとＡＤＦ（Ａｕｔｏ  Ｄｏｃｕｍｅｎｔ  Ｆｉｅｄｅｒ）ユニットを備えている。フラットベッドユニットは、コンタクトガラス上に、原稿の画像面を押圧させるようにセットして、コンタクトガラスの下面に沿って副走査方向に往復移動する第１の光学系が配置されて、コンタクトガラス上に手操作でセットされた原稿またはＡＤＦによりコンタクトガラス上に搬送されてきて載置されて停止している原稿を副走査方向に移動する第１の光学系で主走査及び副走査して原稿の画像の読み取りを行っている。また、ＡＤＦユニットには、上記フラットベッドユニットの第１の光学系が移動してきて搬送される原稿の一面を読み取るためのＡＤＦ読取ガラスが設けられているとともに、ＡＤＦ読取ガラスよりも原稿の搬送方向下流側に、搬送される原稿の他面の画像を読み取る第２の光学系が配設されている。
【０００３】
また、イメージスキャナにおいては、ランプの光量の変動及びＣＣＤ（Ｃｈａｒｇｅ  Ｃｏｕｐｌｅｄ  Ｄｅｖｉｃｅ  ）等の光電変換素子の感光画素の感度バラツキ等を補正するために、原稿読取前に白基準板を読み取って、当該白基準板を読み取ったときのデータをシェーディングデータとして、原稿の画像データをシェーディング補正している。
【０００４】
そして、両面読取イメージスキャナでは、光学系として、上述のように、フラットベッドユニットに設けられた第１の光学系とＡＤＦユニットに設けられた第２の光学系があり、第１の光学系用の第１の白基準板と第２の光学系用の第２の白基準板が配置されている。そして、第１の白基準板は、第１の光学系が、移動可能であるため、ゴミ、紙粉、埃等が付かないように、コンタクトガラスの下に配置され、第１の光学系を当該第１の白基準板の位置まで移動してランプを点灯して、当該第１の白基準板を所定量読み取る。第１の白基準板は、コンタクトガラスの下に配置されてゴミ等の付着を抑制しているが、ランプのガスや走査体の移動等により、少なからずゴミや埃等が付着する。そこで、従来から、両面読取イメージスキャナでは、第１の白基準板を読み取る際には、１ラインだけでなく、少なくとも数ミリ分のラインを読み取って取得したデータを平均化して、１ライン分のシェーディングデータを取得し、この１ライン分のシェーディングデータをメモリに格納して、原稿を読み取った画像データを当該メモリのシェーディングデータを用いてシェーディング補正している。
【０００５】
ところが、第２の光学系は移動できないため、特許文献１に記載されているように、第２の光学系の直下であって、原稿の搬送路上に第２の白基準板を配置し、原稿が第２の光学系の読取ライン上にないときに、第２の光学系で第２の白基準板を読み取って、シェーディングデータを取得している。
【０００６】
そして、第２の光学系で第２の白基準板を読み取るときには、第２の光学系が移動できないため、１ラインまたは同一ラインを複数回読み取って、シェーディングデータを取得する。
【０００７】
ところが、第２の光学系の読取ライン上にゴミや埃等があると、シェーディングデータが、本来の目的である光量の変動及びＣＣＤセンサの感光画素の感度バラツキ等を補正するデータから外れ、このようなシェーディングデータに基づいてシェーディング補正を行うと、読取画像にスジ等が発生して、読取画像の画質が悪化する。例えば、６００ｄｐｉの場合、１ラインが０．０４２３ｍｍであるので、１ラインの幅に相当する小さなゴミや埃であっても、画像に影響を与えることになる。
【０００８】
また、第２の白基準板は、原稿の通路である第２の光学系の直下に配設されているため、紙である原稿の紙粉が読取ライン上に発生しやすく、読取画像の画質を悪化させる頻度が高い。
【０００９】
そして、従来、第２の白基準板の代わりに、特許文献２に記載されているように、白色プラテンローラを用い、シェーディングデータを読み取るときには、当該白色プラテンローラを回転させて、第２の光学系の読取ライン上へのゴミや埃等の影響を抑制しているものがある。
【００１０】
【発明が解決しようとする課題】
しかしながら、このような特許文献２記載の従来技術を用いても、空気中には、少なからず塵や埃があり、白色プラテンローラに付着し、また、時間の経過とともに紙粉の白色プラテンローラへの付着やランプによる白色プラテンローラの焼けによる変色、ランプの発生するガスによる白色プラテンローラの劣化等により、第２の光学系による白色プラテンローラを読み取ったときのデータの濃度ムラが発生したり、汚れが発生する。
【００１１】
そのため、このような白色プラテンローラを第２の光学系で読み取ったデータをシェーディングデータとして用いてシェーディング補正すると、読取画像にも濃度ムラやスジが発生し、画像品質が悪化するという問題があった。
【００１２】
そこで、請求項１記載の発明は、少なくとも固定された読取手段が、当該読取手段の読取位置で、搬送される原稿の片面を読み取る際に、読取手段の読取位置と当該読取位置から外れた待機位置との間を移動可能に白基準部を配設し、当該白基準部を、白色に施されてシェーディングデータを提供する白基準ローラと、当該白基準ローラを収納するとともに、読取手段で当該白基準ローラを読取範囲にわたって読取可能なスリットが主走査方向に延在して形成されている円筒カバーとを有したものとし、当該白基準部を待機位置から読取位置を通過する状態で移動し、当該読取位置を通過する位置で、読取手段で円筒カバーのスリットを通して白基準ローラを読み取って、当該読取手段の読み取ったデータをシェーディング補正用のシェーディングデータとして取得することにより、原稿の紙粉やローラの摩耗かす等が白基準部の白基準ローラに付着して白基準ローラが汚れることを防止して、高精度なシェーディングデータを取得し、スジやムラのない高品質な読取画像を得ることのできる画像読取装置を提供することを目的としている。
【００１３】
請求項２記載の発明は、読取手段で複数ライン分読み取り、当該読み取った複数ライン分のデータを平均化してシェーディングデータとして取得することにより、非常に小さな埃等が白基準部の読取ライン上に付着している場合にも、埃等の影響のない高精度なシェーディングデータを取得し、スジやムラのない高品質な読取画像を得ることのできる画像読取装置を提供することを目的としている。
【００１４】
請求項３記載の発明は、白基準部を、白基準ローラが移動時に回転するものとし、当該回転する白基準ローラを読取手段で複数ライン分読み取ることにより、非常に小さな埃等が白基準部の読取ライン上に付着している場合にも、埃等の影響のない高精度なシェーディングデータを取得し、スジやムラのない高品質な読取画像を得ることのできる画像読取装置を提供することを目的としている。
【００１５】
請求項４記載の発明は、白基準部を、白基準ローラの外周面の一部が円筒カバーから突出する状態で当該円筒カバーに保持されて、移動方向に配設された指示面に当該白基準ローラの突出部が当接し、円筒カバーの待機位置から読取位置への移動に伴って白基準ローラの突出部が当該指示面と接触して回転するものとすることにより、簡単でかつ安価な構成で白基準ローラを回転させて、高精度なシェーディングデータを取得し、スジやムラのない高品質な読取画像を得ることのできる安価な画像読取装置を提供することを目的としている。
【００１６】
請求項５記載の発明は、白基準ローラを、移動後の停止時に所定量スリップして回転するものとすることにより、白基準ローラの同じ場所を繰り返し読み取ることを防止して、白基準ローラの周方向で異なる場所を読み取って、ゴミや傷等が白基準ローラにある場合にも、より一層高精度なシェーディングデータを取得し、スジやムラのないより一層高品質な読取画像を得ることのできる画像読取装置を提供することを目的としている。
【００１７】
請求項６記載の発明は、白基準部の移動方向の読取位置を挟んで両側に待機位置を設け、１回のシェーディングデータの読み取りを、当該一方の待機位置から当該他方の待機位置への移動の途中に通過する読取位置で行うことにより、白基準部の移動時間を短縮して、１回の白基準ローラの読み取りにかかる時間を短縮し、処理速度を向上させつつ、スジやムラのない高品質な読取画像を得ることのできる画像読取装置を提供することを目的としている。
【００１８】
請求項７記載の発明は、白基準部を、白基準ローラがシェーディングデータ用の読取範囲以外の部分でのみ円筒カバーに接触する状態で当該円筒カバーに回転可能に保持されているものとすることにより、白基準ローラの読取範囲に傷がつくことを防止して、より一層高精度なシェーディングデータを取得し、スジやムラのないより一層高品質な読取画像を得ることのできる画像読取装置を提供することを目的としている。
【００１９】
請求項８記載の発明は、白基準ローラを、少なくともシェーディングデータ用の読取範囲が白色に施された樹脂材料で形成されたものとすることにより、白基準ローラに傷がつくことを防止して、より一層高精度なシェーディングデータを取得し、スジやムラのないより一層高品質な読取画像を得ることのできる画像読取装置を提供することを目的としている。
【００２０】
【課題を解決するための手段】
請求項１記載の発明の画像読取装置は、少なくとも固定された読取手段が、当該読取手段の読取位置で、搬送される原稿の片面を読み取る画像読取装置において、前記読取手段の読取位置と当該読取位置から外れた待機位置との間を移動可能に配設された白基準部を備え、当該白基準部は、白色に施されてシェーディングデータを提供する白基準ローラと、当該白基準ローラを収納するとともに、前記読取手段で当該白基準ローラを読取範囲にわたって読取可能なスリットが主走査方向に延在して形成されている円筒カバーとを有し、当該白基準部が前記待機位置から前記読取位置を通過する状態で移動され、当該読取位置を通過する位置で、前記読取手段が前記円筒カバーのスリットを通して前記白基準ローラを読み取って、当該読取手段の読み取ったデータをシェーディング補正用のシェーディングデータとして取得することにより、上記目的を達成している。
【００２１】
上記構成によれば、少なくとも固定された読取手段が、当該読取手段の読取位置で、搬送される原稿の片面を読み取る際に、読取手段の読取位置と当該読取位置から外れた待機位置との間を移動可能に白基準部を配設し、当該白基準部を、白色に施されてシェーディングデータを提供する白基準ローラと、当該白基準ローラを収納するとともに、読取手段で当該白基準ローラを読取範囲にわたって読取可能なスリットが主走査方向に延在して形成されている円筒カバーとを有したものとし、当該白基準部を待機位置から読取位置を通過する状態で移動し、当該読取位置を通過する位置で、読取手段で円筒カバーのスリットを通して白基準ローラを読み取って、当該読取手段の読み取ったデータをシェーディング補正用のシェーディングデータとして取得するので、原稿の紙粉やローラの摩耗かす等が白基準部の白基準ローラに付着して白基準ローラが汚れることを防止して、高精度なシェーディングデータを取得することができ、スジやムラのない高品質な読取画像を得ることができる。
【００２２】
この場合、例えば、請求項２に記載するように、前記画像読取装置は、前記読取手段で複数ライン分読み取り、当該読み取った複数ライン分のデータを平均化して前記シェーディングデータとして取得するものであってもよい。
【００２３】
上記構成によれば、読取手段で複数ライン分読み取り、当該読み取った複数ライン分のデータを平均化してシェーディングデータとして取得するので、非常に小さな埃等が白基準部の読取ライン上に付着している場合にも、埃等の影響のない高精度なシェーディングデータを取得することができ、スジやムラのない高品質な読取画像を得ることができる。
【００２４】
また、例えば、請求項３に記載するように、前記白基準部は、前記白基準ローラが前記移動時に回転し、前記画像読取装置は、前記回転する白基準ローラを前記読取手段で複数ライン分読み取るものであってもよい。
【００２５】
上記構成によれば、白基準部を、白基準ローラが移動時に回転するものとし、当該回転する白基準ローラを読取手段で複数ライン分読み取るので、非常に小さな埃等が白基準部の読取ライン上に付着している場合にも、埃等の影響のない高精度なシェーディングデータを取得することができ、スジやムラのない高品質な読取画像を得ることができる。
【００２６】
さらに、例えば、請求項４に記載するように、前記白基準部は、前記白基準ローラの外周面の一部が前記円筒カバーから突出する状態で当該円筒カバーに保持されて、前記移動方向に配設された指示面に当該白基準ローラの突出部が当接し、前記円筒カバーの前記待機位置から前記読取位置への移動に伴って前記白基準ローラの前記突出部が当該指示面と接触して回転するものであってもよい。
【００２７】
上記構成によれば、白基準部を、白基準ローラの外周面の一部が円筒カバーから突出する状態で当該円筒カバーに保持されて、移動方向に配設された指示面に当該白基準ローラの突出部が当接し、円筒カバーの待機位置から読取位置への移動に伴って白基準ローラの突出部が当該指示面と接触して回転するものとしているので、簡単でかつ安価な構成で白基準ローラを回転させて、高精度なシェーディングデータを取得することができ、スジやムラのない高品質な読取画像を得ることができる。
【００２８】
また、例えば、請求項５に記載するように、前記白基準ローラは、前記移動後の停止時に所定量スリップして回転するものであってもよい。
【００２９】
上記構成によれば、白基準ローラを、移動後の停止時に所定量スリップして回転するものとしているので、白基準ローラの同じ場所を繰り返し読み取ることを防止して、白基準ローラの周方向で異なる場所を読み取って、ゴミや傷等が白基準ローラにある場合にも、より一層高精度なシェーディングデータを取得することができ、スジやムラのないより一層高品質な読取画像を得ることができる。
【００３０】
さらに、例えば、請求項６に記載するように、前記画像読取装置は、前記白基準部の移動方向の前記読取位置を挟んで両側に前記待機位置を有し、１回のシェーディングデータの読み取りを当該一方の待機位置から当該他方の待機位置への移動の途中に通過する前記読取位置で行うものであってもよい。
【００３１】
上記構成によれば、白基準部の移動方向の読取位置を挟んで両側に待機位置を設け、１回のシェーディングデータの読み取りを、当該一方の待機位置から当該他方の待機位置への移動の途中に通過する読取位置で行うので、白基準部の移動時間を短縮して、１回の白基準ローラの読み取りにかかる時間を短縮することができ、処理速度を向上させることができるとともに、スジやムラのない高品質な読取画像を得ることができる。
【００３２】
また、例えば、請求項７に記載するように、前記白基準部は、前記白基準ローラが前記シェーディングデータ用の読取範囲以外の部分でのみ前記円筒カバーに接触する状態で当該円筒カバーに回転可能に保持されているものであってもよい。
【００３３】
上記構成によれば、白基準部を、白基準ローラがシェーディングデータ用の読取範囲以外の部分でのみ円筒カバーに接触する状態で当該円筒カバーに回転可能に保持されているものとしているので、白基準ローラの読取範囲に傷がつくことを防止して、より一層高精度なシェーディングデータを取得することができ、スジやムラのないより一層高品質な読取画像を得ることができる。
【００３４】
さらに、例えば、請求項８に記載するように、前記白基準ローラは、少なくとも前記シェーディングデータ用の読取範囲が白色に施された樹脂材料で形成されているものであってもよい。
【００３５】
上記構成によれば、白基準ローラを、少なくともシェーディングデータ用の読取範囲が白色に施された樹脂材料で形成されたものとしているので、白基準ローラに傷がつくことを防止して、より一層高精度なシェーディングデータを取得することができ、スジやムラのないより一層高品質な読取画像を得ることができる。
【００３６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３７】
図１〜図８は、本発明の画像読取装置の一実施の形態を示す図であり、図１は、本発明の画像読取装置の一実施の形態を適用したＡＤＦを備えた画像読取装置１の要部正面概略構成図である。
【００３８】
図１において、画像読取装置１は、本体筐体２の上面部に図示しないコンタクトガラスと第１原稿ガラス３が配設されており、コンタクトガラス及び第１原稿ガラス３の下方の本体筐体２の内部に、第１ランプ４とミラー５等を搭載したキャリッジ６が配設され、さらに、第１レンズ７及び第１ＣＣＤ８等が配設されている。また、画像読取装置１は、本体筐体２内の上面部の第１原稿ガラス３に隣接して白基準板９が配設されており、キャリッジ６は、図示しないモータにより駆動されて、図１に矢印Ａで示す副走査方向に移動される。
【００３９】
画像読取装置１は、本体筐体２の上部にＡＤＦ（Ａｕｔｏ  Ｄｏｃｕｍｅｎｔ  Ｆｅｅｄｅｒ）１０が回動可能に取り付けられており、ＡＤＦ１０は、開くことで、図示しないコンタクトガラス上に原稿をセット可能となっていて、コンタクトガラス上に原稿がセットされた状態で閉じられると、当該原稿をコンタクトガラスに押しつける圧板の機能も有している。
【００４０】
ＡＤＦ１０は、図示しない原稿台、給紙ローラ１１、第１搬送ローラ１２、第２搬送ローラ１３、反射板１４、第３搬送ローラ１５、押し当てローラ１６、第２原稿ガラス１７、排紙ローラ１８、第２ランプ１９、第２レンズ２０、第２ＣＣＤ２１及び白基準ユニット２２が配設されている。
【００４１】
ＡＤＦ１０は、給紙ローラ１１により原稿台上にセットされた複数枚の原稿Ｇを１枚ずつ分離して、図１に矢印Ｂで示す搬送方向に沿って、第１搬送ローラ１２に送り出し、第１搬送ローラ１２が第２搬送ローラ１３へと原稿Ｇを搬送する。第２搬送ローラは、搬送されてきた原稿Ｇを第１原稿ガラス３に対向して配設されている反射板１４と第１原稿ガラス３との間に送り込み、さらに、第３搬送ローラ１５へと搬送する。
【００４２】
画像読取装置１は、第１原稿ガラス３と反射板１４との間を搬送される原稿Ｇの一面（例えば、表面）に第１ランプ４から光を照射して、原稿Ｇの一面（表面）で反射された反射光をミラー５でレンズ７方向に反射し、レンズ７で光を第１ＣＣＤ８に集光させて、第１ＣＣＤ８で光電変換することで、搬送される原稿Ｇの一面の画像を読み取る。
【００４３】
そして、第１ＣＣＤ８で原稿Ｇを読み取る際には、原稿Ｇを読み取る前に、白基準板９を読み取って、当該白基準板９を読み取ったときのデータをシェーディングデータとして記憶して、当該シェーディングデータに基づいて原稿Ｇを読み取ったときの画像データをシェーディング補正する。このとき、画像読取装置１は、白基準板９にゴミや埃等が付着して汚れている場合があるため、白基準板９を複数ラインにわたって読み取って、複数ライン分のデータを平均化してシェーディングデータとして採用する。
【００４４】
すなわち、画像読取装置１は、白基準板９を読み取るときには、キャリッジ６をその読取位置が白基準板９の位置にくるように移動させ、このキャリッジ６を移動させつつ白基準板９を複数ライン（ｎライン）にわたって読み取る。
【００４５】
ＡＤＦ１０は、第３搬送ローラ１５に搬送されてきた原稿Ｇを第３搬送ローラ１５により、第２原稿ガラス１７に押し当てられる状態で配設されている押し当てローラ１６と第２原稿ガラス１７との間に送り込み、さらに、排紙ローラ１８へと搬送し、排紙ローラ１８により読み取りの完了した原稿Ｇを図示しない排紙トレイ上に排出する。
【００４６】
そして、画像読取装置１は、押し当てローラ１６と第２原稿ガラス１７との間に搬送されてきた原稿Ｇを押し当てローラ１６により第２原稿ガラス１７に押し当てつつ搬送して、この搬送される原稿Ｇの他面（例えば、裏面）に第２ランプ１９から光を照射して、原稿Ｇの他面（裏面）で反射される反射光を第２レンズ２０で第２ＣＣＤ２１に集光し、第２ＣＣＤ２１で光電変換することで、搬送される原稿Ｇの他面の画像を読み取る。上記第２ランプ１９、第２レンズ２０及び第２ＣＣＤ２１、特に、第２ＣＣＤ２１は、読取手段として機能している。
【００４７】
そして、上記白基準ユニット２２は、図２〜図４に示すように、ソレノイド（移動手段）３１、ソレノイド３１のアーム３１ａに取り付けられた白基準部３２、白基準部３２をガイドする一対のガイドレール３３、３４（図４参照）を備えており、図２及び図３に示すように、上記第２原稿ガラス１７が原稿Ｇの搬送方向下流側が上流側よりも高くなる状態で配設されていて、ガイドレール３３、３４は、この第２原稿ガラス１７の傾斜に沿って、原稿Ｇの搬送方向に延在する状態で配設されている。
【００４８】
白基準ユニット２２は、第２原稿ガラス１７の原稿Ｇの搬送側とは反対側（図１〜図３で上面側）に配設されており、原稿Ｇが押し当てローラ１６と第２原稿ガラス１７との間を通過する際に発生する紙粉や埃等が侵入しない構造となっている。
【００４９】
白基準部３２は、図４に示すように、読取対象の原稿Ｇの最大サイズの原稿Ｇの幅よりも大きな幅を有しており、図２及び図３に示すように、その外周面が全面に白色に施された白基準ローラ３５が、円筒形状の円筒カバー３６内に収納されて当該円筒カバー３６に覆われるとともに、当該円筒カバー３６の軸方向両端部側で回転可能に支持されている。
【００５０】
円筒カバー３６は、図４及び図５に示すように、その上面側（第２レンズ２０側）に主走査方向全面にわたってスリット３７が形成されており、当該スリット３７を通して白基準ローラ３５を読み取り可能となっている。また、円筒カバー３６には、図６に示すように、その第２原稿ガラス１７に対向する面の主走査方向両端部であって画像読取範囲外に、回転用スリット３８が形成されており、この回転用スリット３８から白基準ローラ３５の両端部が円筒カバー３６から突出して第２原稿ガラス（指示面）１７と接触して、円筒カバー３６が移動するのに伴って、白基準ローラ３５が周方向に回転する。
【００５１】
そして、白基準ローラ３５は、図７に示すように、その主走査方向両端部であって画像読取範囲外に、周方向全面にわたって所定量外方に突出した突起部３５ａが形成されており、この突起部３５ａが上記回転用スリット３８から円筒カバー３６外に突出して第２原稿ガラス１７に接触して、円筒カバー３６が移動するのに伴って、白基準ローラ３５が回転する。この白基準ローラ３５は、キズのつきにくい樹脂材料で形成されており、また、突起部３５ａ以外は、円筒カバー３６と接触することがなく、シェーディングデータを与える部分に傷がつくことがない状態で配設されている。したがって、白基準ローラ３５は、その読取範囲外の両端部突起部３５ａのみで円筒カバー３６に回転可能に支持されており、この突起部３５ａが回転用スリット３８から円筒カバー３６外に突出して、第２原稿ガラス１７と接触することで、円筒カバー３６、すなわち、白基準部２２が移動するのに伴って回転する。
【００５２】
白基準部３２は、その円筒カバー３６がソレノイド３１のアーム３１ａに連結されており、ソレノイド３１がオフのときに、アーム３１ａへのソレノイド３１の駆動力が消滅して、図２に示すオフ時待機位置に位置し、ソレノイド３１がオンされているときに、ソレノイド３１のアーム３１ａに対する駆動力が作用して、図２及び図３に矢印Ｃで示す方向に移動して、読取位置を通過して、図３に示すオン時待機位置に移動する。すなわち、画像読取装置１は、読取位置を挟んで、副走査方向にオフ時待機位置とオン時待機位置が設けられており、１回のシェーディング読取時に、白基準部３２が一方の待機位置から他方の待機位置に移動する間に通過する読取位置で白基準ローラ３５を読み取る。
【００５３】
ソレノイド３１は、図４に示すように、主走査方向両端部の画像読取範囲外にそれぞれ配設されており、白基準部３２の円筒カバー３６に連結されて、白基準ローラ３５と円筒カバー３６を一体とする白基準部３２を駆動させる。
【００５４】
そして、白基準部３２は、図３に示すソレノイド３１がオンの状態で、ソレノイド３１がオフされると、ガイドレール３３、３４が、ソレノイド３１側が低く、オン時待機位置側の白基準部３２の位置が高い位置となるように傾斜して配設されているため、図２に矢印Ｄで示すように、ガイドレール３３、３４に沿って滑らかにソレノイド３１方向に滑り落ちて、最終的にオフ時待機位置に復帰する。また、上述のように、白基準部３２を移動させるソレノイド３１が主走査方向両端部の画像読取範囲外に配設されているため、第２ランプ１９から出射された光が、白基準部３２がオンに待機位置に位置する場合にも、ソレノイド３１、アーム３１ａ及び白基準部３２にじゃまされることなく、押し当てローラ１６と第２原稿ガラス１７との間を搬送される原稿Ｇに照射されて、原稿Ｇの画像を読み取ることができる。
【００５５】
そして、白基準部３２がオフ時読取位置からオン時読取位置へ移動する途中の読取位置及びオン時読取位置からオフ時読取位置へ移動する途中の読取位置を通過するときには、第２ランプ１９からの光が白基準部３２の円筒カバー３６のスリット３７を通して白基準ローラ３５に照射されて、当該白基準ローラ３５で反射された光が第２レンズ２０を通して、第２ＣＣＤ２１に入射し、第２ＣＣＤ２１で白基準ローラ３５を読み取ることができる。
【００５６】
そして、画像読取装置１は、シェーディングデータを取得するときには、ソレノイド３１をオンにして白基準部３２を白基準読取位置を通過させてオン時読取位置に移動させ、白基準読取位置を通過する間に白基準ローラ３５で反射された光がレンズ２０を通して第２ＣＣＤ２１に入力され、画像読取装置１は、この間のデータを複数ラインにわたって読み取って、シェーディングデータとして取得する。
【００５７】
また、白基準部３２は、白基準ローラ３５と円筒カバー３６との間に若干の隙間を有して形成されており、白基準部３２が移動することで、白基準ローラ３５が回転する際に、また、ソレノイドがオン、オフする際に、白基準ローラ３５が所定量スリップする。したがって、白基準ローラ３５がスリップすることで、白基準ローラ３５の読取部分が常時変化する。
【００５８】
画像読取装置１は、図８に示すように、画像処理関係の回路が回路ブロック構成されており、上記第１ＣＣＤ８からの画像信号を処理する回路として、Ａ／Ｄ変換器４１、ｎラインメモリ４２、１ラインメモリ４３、シェーディング補正部４４等を有し、第２ＣＣＤ２１からの画像信号を処理する回路として、Ａ／Ｄ変換器４５、ｎラインメモリ４６、１ラインメモリ４７、シェーディング補正部４８及び画像メモリ４９等を有している。
【００５９】
画像読取装置１は、シェーディングデータ取得時には、まず、第１ＣＣＤ８で、上述のように、白基準板９を複数ライン（ｎライン）分読み取り、当該第１ＣＣＤ８で白基準板９をｎライン分読み取ったときのデータを順次Ａ／Ｄ変換器４１でデジタル変換して、ｎライン分をｎラインメモリ４２に格納し、このｎライン分のデータを各画素毎に平均化して、１ラインメモリ４３に格納する。また、第２ＣＣＤ２１で、上述のように、白基準部３２の白基準ローラ３５を複数ライン（ｎライン）分読み取り、当該第２ＣＣＤ２１で白基準ローラ３５をｎライン分読み取ったときのデータを順次Ａ／Ｄ変換器４５でデジタル変換して、ｎライン分をｎラインメモリ４６に格納し、このｎライン分のデータを各画素毎に平均化して、１ラインメモリ４７に格納する。
【００６０】
そして、画像読取装置１は、両面原稿Ｇを読み取るときには、第１ＣＣＤ８で両面原稿Ｇの一面（表面）の画像を読み取って、当該第１ＣＣＤ８の読み取った両面原稿Ｇの一面の画像データをＡ／Ｄ変換器４１でデジタル変換して、シェーディング補正部４４に出力し、シェーディング補正部４４で、当該両面原稿Ｇの一面の画像データを１ラインメモリ４３のシェーディングデータに基づいてシェーディング補正して外部に出力する。
【００６１】
また、画像読取装置１は、第２ＣＣＤ２１で両面原稿Ｇの他面（裏面）の画像を読み取って、当該第２ＣＣＤ２１の読み取った両面原稿Ｇの他面の画像データをＡ／Ｄ変換器４５でデジタル変換して、シェーディング補正部４８に出力し、シェーディング補正部４８で、当該両面原稿Ｇの他面の画像データを１ラインメモリ４７のシェーディングデータに基づいてシェーディング補正して、一旦画像メモリ４９に格納する。画像読取装置１は、第１ＣＣＤ８の読み取った両面原稿Ｇの一面の画像データをシェーディング補正して外部に出力した後、次に、第２ＣＣＤ２１が読み取りシェーディング補正して画像メモリ４９に格納した両面原稿Ｇの他面の画像データを外部に出力する。
【００６２】
次に、本実施の形態の作用を説明する。固定の読取手段である第２ＣＣＤ２１の読み取るシェーディングデータを、白基準部３２を移動させて複数ライン分読み取ったデータから取得して、白基準部３２がゴミ、埃等の汚れの影響を防止して、高精度なシェーディングデータを取得し、高精度なシェーディング補正を行う。
【００６３】
すなわち、画像読取装置１は、両面原稿Ｇを読み取る場合、原稿台に両面原稿Ｇがセットされ、操作部で原稿Ｇの読み取りに必要な解像度、部数等がセットされた後、スタートキーが投入されると、画像読取装置１は、シェーディングデータを取得するために、まず、キャリッジ６を白基準板９の下に移動して、第１ランプ４から白基準板９に光を照射してその反射光をミラー５、レンズ７を通して第１ＣＣＤ８に入射させて白基準板９を読み取る動作を、キャリッジ６を図１の矢印Ａ方向に移動させつつ行って、白基準板９の読み取りをｎライン分行う。
【００６４】
画像読取装置１は、白基準板９をｎライン分読み取ると、当該読み取ったデータをＡ／Ｄ変換器４１でデジタル変換して順次ｎラインメモリ４２に保存し、ｎライン分のデータをｎラインメモリ４２に保存すると、ｎラインメモリ４２のデータを画素毎に平均化処理して１ラインメモリ４３にシェーディングデータとして保存する。
【００６５】
画像読取装置１は、シェーディングデータを１ラインメモリ４３に保存すると、キャリッジ６を第１原稿ガラス３の下に戻し、原稿Ｇの読み取りの準備を行う。
【００６６】
次に、画像読取装置１は、ソレノイド３１をオンして、白基準部３２を、オフ時待機位置から図１〜図４に矢印Ｃで示すオン時待機位置方向に移動させて、白基準部３２が白基準読取位置を通過する間に、具体的には、円筒カバー３６のスリット３７が白基準読取位置を通過する間に、白基準ローラ３５で反射された光がレンズ２０を通して第２ＣＣＤ２１に入力させ、この間のデータを複数ラインにわたって読み取って、シェーディングデータとして取得する。この白基準部３２の移動時に、白基準ローラ３５が回転しながら移動し、また、スリップする。
【００６７】
画像読取装置１は、白基準ローラ３５をｎライン分読み取ると、当該読み取ったデータをＡ／Ｄ変換器４５でデジタル変換して順次ｎラインメモリ４６に保存し、ｎライン分のデータをｎラインメモリ４６に保存すると、ｎラインメモリ４６のデータを画素毎に平均化処理して１ラインメモリ４７にシェーディングデータとして保存する。
【００６８】
画像読取装置１は、シェーディングデータを１ラインメモリ４７に保存すると、シェーディングデータの取得を完了したと判断して、給紙ローラ１１、第１搬送ローラ１２、第２搬送ローラ１３を回転駆動させ、原稿台上の両面原稿Ｇを１枚ずつ第１原稿ガラス３と反射板１４との間に搬送する。画像読取装置１は、両面原稿Ｇが第１原稿ガラス３上に搬送されてくると、当該原稿Ｇの一面（表面）に、第１ランプ４から光を照射して、原稿Ｇの表面で反射された反射光をミラー５でレンズ７方向に反射し、レンズ７で光を第１ＣＣＤ８に集光させて、第１ＣＣＤ８で光電変換することで、搬送される両面原稿Ｇの表面の画像を読み取る。
【００６９】
画像読取装置１は、第１ＣＣＤ８の出力する画像信号をＡ／Ｄ変換器４１でＡ／Ｄ変換して、原稿画像データとして、シェーディング補正部４４に出力し、シェーディング補正部４４でこの原稿画像データを１ラインメモリ４３のシェーディングデータに基づいてシェーディング補正して、補正後の表面画像データを出力する。
【００７０】
次に、画像読取装置１は、第３搬送ローラ１５を回転させ、表面の読み取りの完了した両面原稿Ｇが第２原稿ガラス１７と押し当てローラ１６との間に搬送されてくると、押し当てローラ１６を回転させながら両面原稿Ｇの他面（裏面）の画像を読み取る。すなわち、このとき、白基準部３２は、オン時待機位置に位置して、第２ランプ１９から出射される光は、白基準部３２に遮蔽されることなく、第２原稿ガラス１７と押し当てローラ１６の間を搬送される両面原稿Ｇの裏面に照射され、画像読取装置１は、この両面原稿Ｇの裏面で反射される反射光をレンズ２０を通して第２ＣＣＤ２１に入射して、第２ＣＣＤ２１で光電変換することで、搬送される両面原稿Ｇの裏面の画像を読み取る。
【００７１】
画像読取装置１は、第２ＣＣＤ２１の出力する画像信号をＡ／Ｄ変換器４５でＡ／Ｄ変換して、裏面画像データとして、シェーディング補正部４８に出力し、シェーディング補正部４８でこの裏面画像データを１ラインメモリ４７のシェーディングデータに基づいてシェーディング補正して、補正後の裏面画像データを一旦画像メモリ４９に保存する。
【００７２】
画像読取装置１は、排出ローラ１８を回転させて、読み取りの完了した両面原稿Ｇを排紙トレイ上に排出し、表面画像データのシェーディング補正部４４からの出力が完了すると、画像メモリ４９に保存した裏面画像データを外部に出力して、１枚の裏面原稿Ｇの読取と画像データの出力を完了する。
【００７３】
そして、画像読取装置１は、白基準部３２をオン時待機位置に移動させた状態で、次にシェーディングデータを取得するときには、上述のように第１ＣＣＤ８による白基準板９の読み取りを行ってシェーディングデータを取得した後、ソレノイド３１をオフにする。
【００７４】
ソレノイド３１がオフになると、ガイドレール３３、３４が、ソレノイド３１側が低く、白基準読取位置側が高い位置となるように傾斜して配設されているため、図１〜図４に矢印Ｄで示すように、白基準部３２がオン時待機位置からガイドレール３３、３４に沿って滑らかにソレノイド３１方向（オフ時待機位置方向）に滑り落ちて、最終的にオフ時待機位置に復帰する。この白基準部３２の移動時に、白基準ローラ３５が回転し、また、スリップする。
【００７５】
画像読取装置１は、この図１〜図４に矢印Ｄで示すように、白基準部３２がガイドレール３３、３４に沿って滑らかにソレノイド３１方向に滑り落ちる白基準部３２のスリット３７が白基準読取位置を通過する間に、白基準ローラ３５に第２ランプ１９から光を照射してその反射光をレンズ２０を通して第２ＣＣＤ２１に入射させ、白基準ローラ３５をｎライン分読み取る。
【００７６】
画像読取装置１は、白基準ローラ３５をｎライン分読み取ると、上記同様に、当該読み取ったデータをＡ／Ｄ変換器４５でデジタル変換して順次ｎラインメモリ４６に保存し、ｎライン分のデータをｎラインメモリ４６に保存すると、ｎラインメモリ４６のデータを画素毎に平均化処理して１ラインメモリ４７にシェーディングデータとして保存する。
【００７７】
画像読取装置１は、シェーディングデータを１ラインメモリ４７に保存すると、シェーディングデータの取得を完了したと判断して、上記同様に原稿Ｇの搬送を開始して、原稿Ｇの表面及び裏面の画像を読み取り、当該読み取った原稿Ｇの画像を上記同様にシェーディングデータに基づいてシェーディング補正する。
【００７８】
このように、本実施の形態の画像読取装置１は、第２ＣＣＤ２１の読取位置（白基準読取位置）と当該読取位置から外れた待機位置との間を移動可能に白基準部２２を配設し、白基準部２２を、白色に施されてシェーディングデータを提供する白基準ローラ３５と、白基準ローラ３５を収納するとともに、第２ＣＣＤ２１で白基準ローラ３５を読取範囲にわたって読取可能なスリット３７が主走査方向に延在して形成されている円筒カバー３６とを有したものとし、白基準部２２を待機位置から読取位置を通過する状態で移動し、読取位置を通過する位置で、第２ＣＣＤ２１で円筒カバー３６のスリット３７を通して白基準ローラ３５を読み取って、第２ＣＣＤ２１の読み取ったデータをシェーディング補正用のシェーディングデータとして取得している。
【００７９】
したがって、原稿の紙粉やローラの摩耗かす等が白基準部の白基準ローラ３５に付着して白基準ローラ３５が汚れることを防止して、高精度なシェーディングデータを取得することができ、スジやムラのない高品質な読取画像を得ることができる。
【００８０】
また、本実施の形態の画像読取装置１は、第２ＣＣＤ２１で複数ライン分読み取り、当該読み取った複数ライン分のデータを平均化してシェーディングデータとして取得している。
【００８１】
したがって、非常に小さな埃等が白基準部２２の読取ライン上に付着している場合にも、埃等の影響のない高精度なシェーディングデータを取得することができ、スジやムラのない高品質な読取画像を得ることができる。
【００８２】
さらに、本実施の形態の画像読取装置１は、白基準部２２を、白基準ローラ３５が移動時に回転するものとし、当該回転する白基準ローラ３５を第２ＣＣＤ２１で複数ライン分読み取っている。
【００８３】
したがって、非常に小さな埃等が白基準部２２の読取ライン上に付着している場合にも、埃等の影響のない高精度なシェーディングデータを取得することができ、スジやムラのない高品質な読取画像を得ることができる。
【００８４】
また、本実施の形態の画像読取装置１は、白基準部２２を、白基準ローラ３５の外周面の一部（突起部３５ａ）が円筒カバー３６から突出する状態で円筒カバー３６に保持されて、移動方向に配設された指示面としての第２原稿ガラス１７に白基準ローラ３５の突起部３５ａが当接し、円筒カバー３６の待機位置から読取位置への移動に伴って白基準ローラ３５の突起部３５ａが第２原稿ガラス１７と接触して回転するものとしている。
【００８５】
したがって、簡単でかつ安価な構成で白基準ローラ３５を回転させて、高精度なシェーディングデータを取得することができ、スジやムラのない高品質な読取画像を得ることができる。
【００８６】
さらに、本実施の形態の画像読取装置１は、白基準ローラ３５を、移動後の停止時に所定量スリップして回転するものとしている。
【００８７】
したがって、白基準ローラ３５の同じ場所を繰り返し読み取ることを防止して、白基準ローラ３５の周方向で異なる場所を読み取って、ゴミや傷等が白基準ローラ３５にある場合にも、より一層高精度なシェーディングデータを取得することができ、スジやムラのないより一層高品質な読取画像を得ることができる。
【００８８】
また、本実施の形態の画像読取装置１は、白基準部２２の移動方向の読取位置を挟んで両側に待機位置を設け、１回のシェーディングデータの読み取りを、当該一方の待機位置から当該他方の待機位置への移動の途中に通過する読取位置で行っている。
【００８９】
したがって、白基準部２２の移動時間を短縮して、１回の白基準ローラ３５の読み取りにかかる時間を短縮することができ、処理速度を向上させることができるとともに、スジやムラのない高品質な読取画像を得ることができる。
【００９０】
さらに、本実施の形態の画像読取装置１は、白基準部２２を、白基準ローラ３５がシェーディングデータ用の読取範囲以外の部分でのみ円筒カバー３６に接触する状態で円筒カバー３６に回転可能に保持されているものとしている。
【００９１】
したがって、白基準ローラ３５の読取範囲に傷がつくことを防止して、より一層高精度なシェーディングデータを取得することができ、スジやムラのないより一層高品質な読取画像を得ることができる。
【００９２】
また、本実施の形態の画像読取装置１は、白基準ローラ３５を、少なくともシェーディングデータ用の読取範囲が白色に施された樹脂材料で形成されたものとしている。
【００９３】
したがって、白基準ローラ３５に傷がつくことを防止して、より一層高精度なシェーディングデータを取得することができ、スジやムラのないより一層高品質な読取画像を得ることができる。
【００９４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９５】
例えば、上記実施の形態においては、両面原稿を読み取る画像読取装置１の固定されている第２ＣＣＤ２１部分に移動可能な白基準部２２を配設した場合について説明したが、両面原稿を読み取る画像読取装置に限るものではなく、例えば、片面原稿を固定されているＣＣＤ等の読取手段で読み取る画像読取装置にも同様に適用することができる。
【００９６】
【発明の効果】
請求項１記載の発明の画像読取装置によれば、少なくとも固定された読取手段が、当該読取手段の読取位置で、搬送される原稿の片面を読み取る際に、読取手段の読取位置と当該読取位置から外れた待機位置との間を移動可能に白基準部を配設し、当該白基準部を、白色に施されてシェーディングデータを提供する白基準ローラと、当該白基準ローラを収納するとともに、読取手段で当該白基準ローラを読取範囲にわたって読取可能なスリットが主走査方向に延在して形成されている円筒カバーとを有したものとし、当該白基準部を待機位置から読取位置を通過する状態で移動し、当該読取位置を通過する位置で、読取手段で円筒カバーのスリットを通して白基準ローラを読み取って、当該読取手段の読み取ったデータをシェーディング補正用のシェーディングデータとして取得するので、原稿の紙粉やローラの摩耗かす等が白基準部の白基準ローラに付着して白基準ローラが汚れることを防止して、高精度なシェーディングデータを取得することができ、スジやムラのない高品質な読取画像を得ることができる。
【００９７】
請求項２記載の発明の画像読取装置によれば、読取手段で複数ライン分読み取り、当該読み取った複数ライン分のデータを平均化してシェーディングデータとして取得するので、非常に小さな埃等が白基準部の読取ライン上に付着している場合にも、埃等の影響のない高精度なシェーディングデータを取得することができ、スジやムラのない高品質な読取画像を得ることができる。
【００９８】
請求項３記載の発明の画像読取装置によれば、白基準部を、白基準ローラが移動時に回転するものとし、当該回転する白基準ローラを読取手段で複数ライン分読み取るので、非常に小さな埃等が白基準部の読取ライン上に付着している場合にも、埃等の影響のない高精度なシェーディングデータを取得することができ、スジやムラのない高品質な読取画像を得ることができる。
【００９９】
請求項４記載の発明の画像読取装置によれば、白基準部を、白基準ローラの外周面の一部が円筒カバーから突出する状態で当該円筒カバーに保持されて、移動方向に配設された指示面に当該白基準ローラの突出部が当接し、円筒カバーの待機位置から読取位置への移動に伴って白基準ローラの突出部が当該指示面と接触して回転するものとしているので、簡単でかつ安価な構成で白基準ローラを回転させて、高精度なシェーディングデータを取得することができ、スジやムラのない高品質な読取画像を得ることができる。
【０１００】
請求項５記載の発明の画像読取装置によれば、白基準ローラを、移動後の停止時に所定量スリップして回転するものとしているので、白基準ローラの同じ場所を繰り返し読み取ることを防止して、白基準ローラの周方向で異なる場所を読み取って、ゴミや傷等が白基準ローラにある場合にも、より一層高精度なシェーディングデータを取得することができ、スジやムラのないより一層高品質な読取画像を得ることができる。
【０１０１】
請求項６記載の発明の画像読取装置によれば、白基準部の移動方向の読取位置を挟んで両側に待機位置を設け、１回のシェーディングデータの読み取りを、当該一方の待機位置から当該他方の待機位置への移動の途中に通過する読取位置で行うので、白基準部の移動時間を短縮して、１回の白基準ローラの読み取りにかかる時間を短縮することができ、処理速度を向上させることができるとともに、スジやムラのない高品質な読取画像を得ることができる。
【０１０２】
請求項７記載の発明の画像読取装置によれば、白基準部を、白基準ローラがシェーディングデータ用の読取範囲以外の部分でのみ円筒カバーに接触する状態で当該円筒カバーに回転可能に保持されているものとしているので、白基準ローラの読取範囲に傷がつくことを防止して、より一層高精度なシェーディングデータを取得することができ、スジやムラのないより一層高品質な読取画像を得ることができる。
【０１０３】
請求項８記載の発明の画像読取装置によれば、白基準ローラを、少なくともシェーディングデータ用の読取範囲が白色に施された樹脂材料で形成されたものとしているので、白基準ローラに傷がつくことを防止して、より一層高精度なシェーディングデータを取得することができ、スジやムラのないより一層高品質な読取画像を得ることができる。
【図面の簡単な説明】
【図１】本発明の画像読取装置の一実施の形態を適用した画像読取装置の要部正面概略構成図。
【図２】図１の画像読取装置の白基準部がオフ時待機位置に位置するときの白基準ユニット部分の拡大正面図。
【図３】図１の画像読取装置の白基準部がオン時待機位置に位置するときの白基準ユニット部分の拡大正面図。
【図４】図１の画像読取装置の白基準部がオン時待機位置（実線で示す位置）とオフ時待機位置（破線で示す位置）に位置するときの白基準ユニット部分の拡大平面図。
【図５】図２〜図４の白基準ユニットの白基準部のスリット側の平面図。
【図６】図５の白基準部の回転用スリット側の平面図。
【図７】図５の白基準部の白基準ローラの平面図。
【図８】図１の画像読取装置の画像処理関係の回路ブロック構成図。
【符号の説明】
１  画像読取装置
２  本体筐体
３  第１原稿ガラス
４  第１ランプ
５  ミラー
６  キャリッジ
７  第１レンズ
８  第１ＣＣＤ
９  白基準板
１０  ＡＤＦ
１１  給紙ローラ
１２  第１搬送ローラ
１３  第２搬送ローラ
１４  反射板
１５  第３搬送ローラ
１６  押し当てローラ
１７  第２原稿ガラス
１８  排紙ローラ
１９  第２ランプ
２０  第２レンズ
２１  第２ＣＣＤ
２２  白基準ユニット
３１  ソレノイド
３１ａ  アーム
３２  白基準部
３３、３４  ガイドレール
３５  白基準ローラ
３６  円筒カバー
３７  スリット
３８  回転用スリット
４１  Ａ／Ｄ変換器
４２  ｎラインメモリ
４３  １ラインメモリ
４４  シェーディング補正部
４５  Ａ／Ｄ変換器
４６  ｎラインメモリ
４７  １ラインメモリ
４８  シェーディング補正部
４９  画像メモリ
【図１】
2004297721.tif 000003
【図２】
2004297721.tif 000004
【図３】
2004297721.tif 000005
【図４】
2004297721.tif 000006
【図５】
2004297721.tif 000007
【図６】
2004297721.tif 000008
【図７】
2004297721.tif 000009
【図８】
2004297721.tif 000010